(57)【要約】【課題】照度ムラを抑えた新たな照明装置を提供する。【解決手段】照明装置は、第１の色の光を発する発光モジュール１２Ｒと、発光モジュール１２Ｒに並んで配置され、第２の色の光を発する発光モジュール１２Ｇと、発光モジュール１２Ｒおよび発光モジュール１２Ｇを搭載する筐体１４と、を備える。発光モジュール１２Ｒは、紫外線又は短波長可視光を発する第１の発光素子と、紫外線又は短波長可視光により励起され、第１の発光素子を覆うように配置された第１の光波長変換層と、を有する。発光モジュール１２Ｇは、紫外線又は短波長可視光を発する第２の発光素子と、紫外線又は短波長可視光により励起され、第２の発光素子を覆うように配置された第２の光波長変換層と、を有する。発光モジュール１２Ｒによる照射範囲と発光モジュール１２Ｇによる照射範囲が重複するように構成されている。【選択図】図１
2018190577.tif 000002
【特許請求の範囲】
【請求項１】
第１の色の光を発する第１の発光モジュールと、
前記第１の発光モジュールに並んで配置され、第２の色の光を発する第２の発光モジュールと、
前記第１の発光モジュールおよび前記第２の発光モジュールを搭載する筐体と、を備え、
前記第１の発光モジュールは、
紫外線又は短波長可視光を発する第１の発光素子と、
前記紫外線又は短波長可視光により励起され、前記第１の発光素子を覆うように配置された第１の光波長変換層と、を有し、
前記第２の発光モジュールは、
紫外線又は短波長可視光を発する第２の発光素子と、
前記紫外線又は短波長可視光により励起され、前記第２の発光素子を覆うように配置された第２の光波長変換層と、を有し、
前記第１の発光モジュールによる照射範囲と前記第２の発光モジュールによる照射範囲が重複するように構成されていることを特徴とする照明装置。
【請求項２】
前記第１の光波長変換層は、１０ｖｏｌ％以下の蛍光体を含み、厚みが５００μｍ以上であることを特徴とする請求項１に記載の照明装置。
【請求項３】
前記第１の光波長変換層は、第１の発光モジュールを正面から見た場合の短手方向の幅をＷ、厚みをＴとすると、０．８≦Ｔ／Ｗ≦４．０を満たすことを特徴とする請求項１または２に記載の照明装置。
【請求項４】
前記第２の光波長変換層は、１０ｖｏｌ％以下の蛍光体を含み、厚みが５００μｍ以上であることを特徴とする請求項１乃至３のいずれか１項に記載の照明装置。
【請求項５】
前記第２の光波長変換層は、第２の発光モジュールを正面から見た場合の短手方向の幅をＷ、厚みをＴとすると、０．８≦Ｔ／Ｗ≦４．０を満たすことを特徴とする請求項１乃至４のいずれか１項に記載の照明装置。
【発明の詳細な説明】
【技術分野】
【０００１】
本発明は、照明装置に関する。
【背景技術】
【０００２】
舞台やスタジオの背景に設置した白い幕（ホリゾント幕）や壁を照らすものとして、ホリゾントライトが知られている。ホリゾントライトは、自然環境（天気や場所）、季節（春夏秋冬）、時間（朝晩）の移り変わりや、心理描写等を様々な色で演出することができる。そのため、通常のホリゾントライトは、三原色である赤色、緑色、青色を含む複数の色の単色光をそれぞれ発する、複数種の光源を備えている。
【０００３】
従来、ホリゾントライトは、光源に指向性の低い白熱球やハロゲンランプを用い、光源の出射面に赤、緑、青等のカラーフィルターを設置することで、所望の発光色を実現していた。しかしながら、白熱球やハロゲンランプはフィラメントを用いているため、フィラメント交換頻度が高く、また、電力効率的に低いという問題があった。更に、器具の発熱によりカラーフィルターの変色も起こるため、定期的なメンテナンスが必要であった。
【０００４】
そこで、近年、省エネルギで長寿命なＬＥＤ（Light Emitting Diode）を光源として採用したホリゾントライトが考案されている（特許文献１、２参照）。
【先行技術文献】
【特許文献】
【０００５】
【特許文献１】特開２０１１−１８７２４４号公報
【特許文献２】特開２００７−８０６６６号公報
【発明の概要】
【発明が解決しようとする課題】
【０００６】
しかしながら、ＬＥＤ自体の指向性が強いため、ホリゾント幕や壁を照射した場合に照度ムラが大きくなりがちである。また、複数色のＬＥＤを配列し、混色により所望の色を実現しようとすると、隣の色のＬＥＤとの混色が不十分となり、ホリゾント幕や壁を照射した場合に色ムラが大きくなりがちである。その結果、このようなホリゾントライトを照射しながら撮影した映像を見ると、不自然な明暗や色ムラが見られることがある。
【０００７】
本発明はこうした状況に鑑みてなされたものであり、その例示的な目的の一つは、照度ムラを抑えた新たな照明装置を提供することにある。
【課題を解決するための手段】
【０００８】
上記課題を解決するために、本発明のある態様の照明装置は、第１の色の光を発する第１の発光モジュールと、第１の発光モジュールに並んで配置され、第２の色の光を発する第２の発光モジュールと、第１の発光モジュールおよび第２の発光モジュールを搭載する筐体と、を備える。第１の発光モジュールは、紫外線又は短波長可視光を発する第１の発光素子と、紫外線又は短波長可視光により励起され、第１の発光素子を覆うように配置された第１の光波長変換層と、を有する。第２の発光モジュールは、紫外線又は短波長可視光を発する第２の発光素子と、紫外線又は短波長可視光により励起され、第２の発光素子を覆うように配置された第２の光波長変換層と、を有する。第１の発光モジュールによる照射範囲と第２の発光モジュールによる照射範囲が重複するように構成されている。
【０００９】
この態様によると、紫外線又は短波長可視光により励起された第１の光波長変換層から出射した指向性の低い第１の変換光と、紫外線又は短波長可視光により励起された第２の光波長変換層から出射した指向性の低い第２の変換光とが混色されるため、照射範囲での照度ムラや色ムラを低減できる。
【００１０】
第１の光波長変換層は、１０ｖｏｌ％以下の蛍光体を含み、厚みが５００μｍ以上であってもよい。これにより、蛍光体粒子自体が変換光を遮蔽することを抑制できる。また、第１の光波長変換層の厚みがある程度あることで、第１の発光素子が発した紫外線又は短波長可視光が蛍光体に吸収されずにそのまま発光モジュールから出射する割合を減らせる。つまり、発光効率を高めることができる。なお、第１の光波長変換層における蛍光体の濃度は０．３ｖｏｌ％以上であってもよい。これにより、第１の発光素子が発した紫外線又は短波長可視光が蛍光体に吸収されずにそのまま発光モジュールから出射する割合を減らせる。また、第１の光波長変換層の厚みは１０ｍｍ以下であってもよい。これにより、第１の光波長変換層の材料費を低減できる。
【００１１】
第１の光波長変換層は、第１の発光モジュールを正面から見た場合の短手方向の幅をＷ、厚みをＴとすると、０．８≦Ｔ／Ｗ≦４．０を満たす。これにより、第１の発光モジュールから出射する光の照射角が広がる。
【００１２】
第２の光波長変換層は、１０ｖｏｌ％以下の蛍光体を含み、厚みが５００μｍ以上であってもよい。これにより、蛍光体粒子自体が変換光を遮蔽することを抑制できる。また、第２の光波長変換層の厚みがある程度あることで、第２の発光素子が発した紫外線又は短波長可視光が蛍光体に吸収されずにそのまま発光モジュールから出射する割合を減らせる。つまり、発光効率を高めることができる。なお、第２の光波長変換層における蛍光体の濃度は０．３ｖｏｌ％以上であってもよい。これにより、第２の発光素子が発した紫外線又は短波長可視光が蛍光体に吸収されずにそのまま発光モジュールから出射する割合を減らせる。また、第２の光波長変換層の厚みは１０ｍｍ以下であってもよい。これにより、第２の光波長変換層の材料費を低減できる。
【００１３】
第２の光波長変換層は、第２の発光モジュールを正面から見た場合の短手方向の幅をＷ、厚みをＴとすると、０．８≦Ｔ／Ｗ≦４．０を満たす。これにより、第２の発光モジュールから出射する光の照射角が広がる。
【００１４】
なお、以上の構成要素の任意の組合せ、本発明の表現を方法、装置、システム、などの間で変換したものもまた、本発明の態様として有効である。
【発明の効果】
【００１５】
本発明によれば、照度ムラを抑えることができる。
【図面の簡単な説明】
【００１６】
【図１】本実施の形態に係るホリゾントライトの外観を示す斜視図である。
【図２】発光モジュールの上面図である。
【図３】図２に示すＡ−Ａ断面図である。
【図４】図２に示すＢ−Ｂ断面図である。
【図５】第２の実施の形態に係る発光モジュールの側方断面図である。
【図６】図５のＲ領域を拡大した模式図である。
【図７】第３の実施の形態に係る照明装置の主要部を示す図である。
【発明を実施するための形態】
【００１７】
以下、図面等を参照しながら、本発明を実施するための形態について詳細に説明する。なお、図面の説明において同一の要素には同一の符号を付し、重複する説明を適宜省略する。また、以下に述べる構成は例示であり、本発明の範囲を何ら限定するものではない。なお、以下では照明装置としてホリゾントライトを一例として説明する。
【００１８】
［第１の実施の形態］
（ホリゾントライト）
図１は、本実施の形態に係るホリゾントライトの外観を示す斜視図である。ホリゾントライト１０は、赤、緑、青の３色の発光モジュール１２Ｒ、１２Ｇ、１２Ｂ（以下、適宜発光モジュール１２と称する場合がある。）と、各発光モジュールの半円筒状の発光部が突出するようにスリットが形成されている筐体１４と、ホリゾントライト１０を安定して床に載置するための平板状の載置部１６と、を備える。
【００１９】
また、ホリゾントライト１０は、筐体１４の上面の向きを変更するために、筐体１４と載置部１６とが成す角度を調整する調整部１７を有する。筐体１４は、横長であり、各発光モジュール１２Ｒ，１２Ｇ，１２Ｂ（以下、「発光モジュール１２」と称する場合がある。）は、長手方向が水平方向に沿うように筐体１４に収容されている。
【００２０】
（発光モジュール）
図２は、発光モジュール１２の上面図である。図３は、図２に示すＡ−Ａ断面図である。図４は、図２に示すＢ−Ｂ断面図である。なお、図２および図３においては発光部の構成は簡略化されている。
【００２１】
図２乃至４に示すように、発光モジュール１２は、実装基板１８と、実装基板１８の上にライン状に搭載されている複数の発光部２０と、発光部２０の上面を含む全体を封止する透明封止部２２と、を備える。
【００２２】
実装基板１８は、３９０〜７８０ｎｍの波長領域の光に対する反射率が８５％以上の白色基板であり、予め回路パターンが形成されている。実装基板１８の材質は、セラミックス、ガラス−セラミックス複合体、白色レジストを施したアルミニウム、又は、ガラス強化エポキシ基板等が好適である。
【００２３】
図４に示すように、発光部２０は、発光スペクトルの発光ピーク波長が３８０〜４２０ｎｍの波長領域にある紫外線又は短波長可視光を発する半導体発光素子２４と、半導体発光素子２４が固定されるサブマウント２６と、を有する。半導体発光素子２４は、ダイボンド樹脂又は金（Ａｕ）−錫（Ｓｎ）共晶半田でサブマウント２６上に固定されている。
【００２４】
サブマウント２６は、予めリードフレームを埋め込んだ白色の樹脂板、又はセラミックス板であり、上面には電極パッド２６ａが設けられている。また、実装基板１８の上面にも電極パッド１８ａが設けられている。そして、サブマウント２６の電極パッド２６ａと実装基板１８の電極パッド１８ａとが金ワイヤ２８を用いてボンディングされている。
【００２５】
透明封止部２２は、発光部２０を保護するための透明なシリコーン樹脂を含んでいる。本実施の形態に係る透明封止部２２は、ライン状に配列された複数の発光部２０を一体的に覆うために、半円状のシリンドリカル形状である。なお、発光部２０が一つの場合、あるいは、発光部２０が複数あるものの個別に封止する場合は、透明封止部２２をドーム形状としてもよい。なお、半円状あるいはドーム形状という形態は、必ずしも幾何学的に正確な形状である必要はなく、本願発明の範囲を逸脱しない範囲で変形が可能なことは当然である。例えば、一部が欠けていたり、断面曲線や表面が不連続であったり、断面が楕円であったり非円形であったりしていてもよい。
【００２６】
本実施の形態に係る透明封止部２２は、透明なシリコーン樹脂に分散された単色の蛍光体３０を更に含んでおり、光波長変換層として機能する。蛍光体３０としては以下の材料が挙げられる。
＜青色蛍光体＞
ＢａＭｇＡｌ１０Ｏ１７：Ｅｕ２＋、Ｃａ１０（ＰＯ４）６Ｃｌ２：Ｅｕ２＋、Ｓｒ１０（ＰＯ４）６Ｃｌ２：Ｅｕ２＋、（Ｓｒ，Ｃａ）１０（ＰＯ４）６Ｃｌ２：Ｅｕ２＋、（Ｓｒ，Ｃａ，Ｂａ）１０（ＰＯ４）６Ｃｌ２：Ｅｕ２＋、Ｂａ３ＭｇＳｉ２Ｏ８：Ｅｕ２＋、Ｓｒ３ＭｇＳｉ２Ｏ８：Ｅｕ２＋、Ｓｒ４Ａｌ１４Ｏ２４：Ｅｕ２＋、（Ｂａ，Ｓｒ，Ｃａ）２（Ｂ５Ｏ９）Ｘ２：Ｅｕ２＋、ＳｉＯ２−ＣａＸ２：Ｅｕ２＋（Ｘはハロゲン元素）
＜緑色蛍光体＞
（Ｂａ，Ｓｒ，Ｃａ）２ＳｉＯ４：Ｅｕ２＋、（Ｂａ，Ｓｒ）２ＳｉＯ４：Ｅｕ２＋、Ｓｒ２ＳｉＯ４：Ｅｕ２＋、Ｅｕ２＋付活βサイアロン、Ｂａ３Ｓｉ６Ｏ１２Ｎ２：Ｅｕ２＋，  ＳｒＧａ２Ｓ４：Ｅｕ２＋、ＳｒＳｉ２Ｏ２Ｎ２：Ｅｕ２＋、（Ｂａ，Ｓｒ）Ｓｉ２Ｏ２Ｎ２：Ｅｕ２＋、ＳｒＡｌＯ４：Ｅｕ２＋
＜赤色蛍光体＞
（Ｃａ１−ｘＳｒｘ）ＡｌＳｉＮ３：Ｅｕ２＋（０≦ｘ＜０．４）、Ｓｒ２Ｓｉ５Ｎ８：Ｅｕ２＋
＜黄色蛍光体＞
（Ｂａ，Ｓｒ）Ｓｉ２Ｏ２Ｎ２：Ｅｕ２＋、（Ｂａ，Ｓｒ）ＳｉＯ４：Ｅｕ２＋、（Ｃａ，Ｓｒ，Ｍ）７（ＳｉＯ３）６Ｘ２：Ｅｕ２＋（Ｍ＝Ｂａ，Ｍｇ，Ｍｎ，Ｓｎ，Ｐｂ，Ｈｇ，アルカリ金属，Ｅｕ以外の希土類金属、Ｘ＝ハロゲン）
＜橙色蛍光体＞
Ｅｕ２＋付活αサイアロン、Ｃａ３−ａ−ｂＭａＳｉＯ４Ｘ２（Ｍ＝ＳｒまたはＭｇ、Ｘ＝ハロゲン）
【００２７】
シリコーン樹脂は、シリコーン樹脂中に蛍光体が沈降しないように、粘度が３Ｐａ・ｓ以上、好ましくは、５Ｐａ・ｓ以上のものがよい。
【００２８】
蛍光体３０の濃度は、実装するシリコーン樹脂の厚さにもよるが、０．３〜１０ｖｏｌ％程度の低濃度であるとよい。蛍光体濃度が０．３ｖｏｌ％未満だと、発光部２０が発する光を十分に変換するために必要な量の蛍光体を分散させるために、シリコーン樹脂（透明封止部２２）の厚みを１０ｍｍ以上にする必要があり、材料費が高くなる。一方、蛍光体の濃度が１０ｖｏｌ％を超えると、蛍光体濃度が高すぎることにより、蛍光体粒子自体による遮蔽効果が発生し、モジュールとしての発光効率が低下する。
【００２９】
次に、透明封止部２２の実装方法について説明する。上述の単色の蛍光体を分散したシリコーン樹脂を実装基板１８上の半導体発光素子２４を覆うように実装する。具体的には、硬化前の液状シリコーン樹脂を半導体発光素子２４上にディスペンサを用いて塗布後、硬化させる。あるいは、金型内に液状シリコーン樹脂を流し込み、実装基板１８で金型のキャビティを覆うようセットし硬化成形することでも実装することができる。
【００３０】
透明封止部２２の実装形状は、前述のようにドーム状、断面が半円状のシリンドリカル形状である。また、断面の半円の半径は、３〜１０ｍｍの範囲が好ましい。また、別の形状として、断面の縦横比のアスペクト比を変えてもいい。図４に示すように、実装基板１８に対して垂直方向の透明封止部２２の半径をｒ１、実装基板に対し水平方向の透明封止部２２の半径をｒ２とすると、透明封止部２２の半径ｒ１：半径ｒ２は、例えば、８：１〜１：２の範囲である。
【００３１】
半径ｒ１に対して半径ｒ２が小さくなれば、実装基板１８表面に対して水平方向（側方）に出射される光が多くなる。一方、半径ｒ１に対し半径ｒ２が大きくなれば、実装基板１８表面に対して鉛直方向（上方）に出射される光が多くなる。
【００３２】
そこで、前述のように、透明封止部２２の半径ｒ１：半径ｒ２が、８：１〜１．６：１の範囲であれば、実装基板１８表面に対して鉛直方向からみた投影面積Ｓ１が、実装基板１８表面に対し平行方向（側方）からみた投影面積Ｓ２に対し、０．８〜４．０倍となる。この場合、発光モジュール１２によりホリゾント幕を照射した場合の照度ムラがより低減される。また、半径ｒ１，半径ｒ２のうち、短い方の半径が３ｍｍより大きく、長い方の半径が１０ｍｍより短いことが望ましい。
【００３３】
なお、上記の透明封止部２２の形状を他の表現で表すと以下の通りとなる。透明封止部２２は、半導体発光素子２４を正面から見た場合の短手方向の幅をＷ、厚みをＴとすると、０．８≦Ｔ／Ｗ≦４．０を満たす。
【００３４】
以上の発光モジュールを色毎に作製し、図１に示す発光モジュール１２Ｒ，１２Ｇ，１２Ｂとして使用することで、各発光モジュールから出射する光の照射角が広がり、他の発光モジュールから照射される他の色の光との混合性、ホリゾント幕への均質照射性が向上する。その結果、照度ムラや色ムラが少ないホリゾントライト１０を実現できる。
【００３５】
［第２の実施の形態］
図５は、第２の実施の形態に係る発光モジュールの側方断面図である。図６は、図５のＲ領域を拡大した模式図である。
【００３６】
第２の実施の形態に係る発光モジュール３２は、予め回路パターンが形成されている実装基板３４に、複数の半導体発光素子２４がマトリックス状（ｍ×ｎ：ｍ＞１、ｎ≧１）に配置されている。また、半導体発光素子２４同士の間隔は２〜１５ｍｍ程度である。
【００３７】
発光モジュール３２は、第１の実施の形態と同様に単色の蛍光体３０を分散させた封止樹脂部３６で、半導体発光素子２４が個々に封止されている。本実施の形態に係る封止樹脂部３６はドーム状であり、厚みＴが５００μｍ〜５ｍｍ程度である。また、封止樹脂部３６における蛍光体濃度は０．５〜５ｖｏｌ％程度である。
【００３８】
次に、ガラス、アクリルやポリカーボネートの透明樹脂、等の板状の透明部材３８の片面に、封止樹脂部３６で用いた蛍光体と同じ蛍光体３０を分散した透明樹脂４０（または塗料）の層を成膜し、波長変換カバー４２を作製する。なお、透明樹脂や塗料は、耐光性の優れた材料（シリコーン、アクリル、水ガラス、ゾル−ゲルガラス等）が好ましい。透明樹脂４０の膜厚は４０〜２００μｍ程度、蛍光体濃度は０．５〜５ｖｏｌ％程度である。
【００３９】
そして、波長変換カバー４２を、筐体４３の開口部を覆うように配置する。また、波長変換カバー４２は、発光部４４と対向するように間隔Ｄを空けて配置する。間隔Ｄは、１〜５ｍｍ程度である。これにより、実装基板３４に半導体発光素子２４が間隔を置いて配置されている発光モジュール３２であっても、封止樹脂部３６で蛍光体３０により変換された変換光だけでなく、波長変換カバー４２で蛍光体３０により変換された変換光で発光モジュール３２の正面を照射するので、指向性が低く照射ムラの小さい発光モジュールが実現できる。また、赤色、緑色、青色の３色の発光モジュール３２を照射範囲が重なるように近接して並べることで、色ムラの少ないホリゾントライトを実現できる。
【００４０】
なお、第２の実施の形態に係る発光部４４はドーム状であるが、実装基板３４の表面を均一に封止樹脂部３６で封止することで平板状の発光部としてもよい。この場合の封止樹脂部３６の厚みＴも５００μｍ〜５ｍｍ程度が好ましい。
【００４１】
［第３の実施の形態］
次に、複数の発光モジュールを一つの基板に搭載した照明装置について説明する。図７は、第３の実施の形態に係る照明装置１００の主要部を示す図である。図７に示す照明装置１００は、赤色を発する第１の発光モジュール１２Ｒと、第１の発光モジュール１２Ｒに並んで配置され、緑色の光を発する第２の発光モジュール１２Ｇと、第２の発光モジュールに並んで配置され、青色の光を発する第３の発光モジュール１２Ｂと、発光モジュール１２Ｒ，１２Ｇ，１２Ｂを搭載する筐体（不図示）と、を備える。第１の発光モジュール１２Ｒは、紫外線又は短波長可視光を発する半導体発光素子２４Ｒと、紫外線又は短波長可視光により励起され、半導体発光素子２４Ｒを覆うように配置された第１の光波長変換層４６Ｒと、を有する。第２の発光モジュール１２Ｇは、紫外線又は短波長可視光を発する半導体発光素子２４Ｇと、紫外線又は短波長可視光により励起され、半導体発光素子２４Ｇを覆うように配置された第２の光波長変換層４６Ｇと、を有する。第３の発光モジュール１２Ｂは、紫外線又は短波長可視光を発する半導体発光素子２４Ｂと、紫外線又は短波長可視光により励起され、半導体発光素子２４Ｂを覆うように配置された第３の光波長変換層４６Ｂと、を有する。
【００４２】
なお、照明装置１００は、第１の発光モジュール１２Ｒによる照射範囲と第２の発光モジュール１２Ｇによる照射範囲と第３の発光モジュール１２Ｂによる照射範囲とが重複するように構成されている。
【００４３】
この態様によると、紫外線又は短波長可視光により励起された第１の光波長変換層４６Ｒから出射した指向性の低い第１の変換光（赤色光）と、紫外線又は短波長可視光により励起された第２の光波長変換層４６Ｇから出射した指向性の低い第２の変換光（緑色光）と、紫外線又は短波長可視光により励起された第３の光波長変換層４６Ｂから出射した指向性の低い第３の変換光（青色光）と、が混色されるため、様々な色による照明を可能とするとともに、照射範囲での照度ムラや色ムラを低減できる。
【００４４】
また、各光波長変換層４６Ｒ，４６Ｇ，４６Ｂは、１０ｖｏｌ％以下の蛍光体を含み、厚みが５００μｍ以上であるとよい。これにより、蛍光体粒子間に透明部分が多くなり蛍光体粒子自体が変換光を遮蔽することを抑制できる。また、各光波長変換層の厚みがある程度あることで、発光素子が発した紫外線又は短波長可視光が蛍光体に吸収されずにそのまま発光モジュールから出射する割合を減らせる。つまり、発光効率を高めることができる。なお、各光波長変換層４６Ｒ，４６Ｇ，４６Ｂにおける蛍光体の濃度は０．３ｖｏｌ％以上であるとよい。これにより、発光素子が発した紫外線又は短波長可視光が蛍光体に吸収されずにそのまま発光モジュールから出射する割合を減らせる。また、各光波長変換層４６Ｒ，４６Ｇ，４６Ｂの厚みは１０ｍｍ以下であってもよい。これにより、各光波長変換層４６Ｒ，４６Ｇ，４６Ｂの材料費を低減できる。
【００４５】
各光波長変換層４６Ｒ，４６Ｇ，４６Ｂは、各発光モジュールを正面から見た場合の短手方向の幅をＷ、厚みをＴとすると、０．８≦Ｔ／Ｗ≦４．０を満たす。これにより、各発光モジュールから出射する光の照射角が広がる。
【００４６】
また、照明装置１００をホリゾントライトとして使用することで、拡散板等の補助用具を使わず、ムラの少ない照明を効率良く（低消費電力で）可能となる。また、光源に半導体発光素子を使用することで、長寿命で小型軽量化が可能となり、可搬性も高くなる。
【００４７】
以上、本発明を実施の形態や各実施例をもとに説明した。この実施の形態や各実施例は例示であり、それらの各構成要素や各処理プロセスの組合せにいろいろな変形例が可能なこと、またそうした変形例も本発明の範囲にあることは当業者に理解されるところである。
【符号の説明】
【００４８】
１０  ホリゾントライト、  １２  発光モジュール、  １４  筐体、  １６  載置部、  １７  調整部、  １８  実装基板、  ２０  発光部、  ２２  透明封止部、  ２４  半導体発光素子、  ３０  蛍光体、  ３２  発光モジュール、  ３４  実装基板、  ３６  封止樹脂部、  ３８  透明部材、  ４０  透明樹脂、  ４２  波長変換カバー、  ４３  筐体、  ４４  発光部、  ４６Ｂ  第３の光波長変換層、  ４６Ｇ  第２の光波長変換層、  ４６Ｒ  第１の光波長変換層、  １００  照明装置。
【図１】
2018190577.tif 000003
【図２】
2018190577.tif 000004
【図３】
2018190577.tif 000005
【図４】
2018190577.tif 000006
【図５】
2018190577.tif 000007
【図６】
2018190577.tif 000008
【図７】
2018190577.tif 000009